(57)【要約】【課題】特に赤外線器測定器における内部部材及び制御回路の水濡れによる故障を防ぐための防水装置を提供する。【解決手段】外部ベース１０と、前記外部ベース１０に設置され、配置空間２４及び収容空間２３１が形成される内部ベース２０と、前記内部ベース２０の外周をカバーするものであり、下部に保護カバー３０が設けられると共に、該保護カバー３０の上部に保護蓋４０が設けられ、該保護カバー３０の底部が前記外部ベース１０に当接することにより固定される防水カバーAとを有する赤外線測定器の防水装置を提供する。【選択図】  図１
0003175409.tif 000002
【実用新案登録請求の範囲】
【請求項１】
外部ベースと、
前記外部ベースに設置され、配置空間及び収容空間が形成される内部ベースと、
前記内部ベースの外周をカバーするものであり、下部に保護カバーが設けられると共に、該保護カバーの上部に保護蓋が設けられ、該保護カバーの底部が前記外部ベースに当接することにより固定される防水カバーとを有することを特徴とする赤外線測定器の防水装置。
【請求項２】
前記外部ベースは、背面板と、該背面板の底部から前方に向かって延設される底板と、を備え、
前記内部ベースは、配置部と、該配置部の後側に上方に向かって延設される延出部と、該延出部の上部に、前方に向かって延設される収容部と、該延出部の前方における、収容部と配置部との間に形成される配置空間とを備え、その内、収容部は、内部に収容空間が形成されると共に、前面に機能表示調整プレートが設けられ、
更に、前記内部ベースは、配置部を介して前記外部ベースの底板上に固設され、
前記防水カバーの保護蓋は、ボルトによって前記外部ベースの背面板に固設されることを特徴とする請求項１に記載の赤外線測定器の防水装置。
【請求項３】
前記内部ベースにおける収容部の上側に、着脱可能に蓋部材が設置されることを特徴とする請求項２に記載の赤外線測定器の防水装置。
【請求項４】
前記蓋部材の両側にそれぞれ、下方に向かって挿設プレートが延設されると共に、前記収容部の両側内壁面にそれぞれ、該蓋部材の挿設プレートと対応する固定部が設けられ、更に、該蓋部材の上面に開口が形成されることを特徴とする請求項３に記載の赤外線測定器の防水装置。
【請求項５】
前記保護カバーと保護蓋とはそれぞれ独立した部材であり、該保護蓋は、保護カバーの上部に組み合わされることを特徴とする請求項２に記載の赤外線測定器の防水装置。
【請求項６】
前記底板に、前記保護カバーの内側に位置するように、少なくとも１つの配線孔が形成されることを特徴とする請求項３に記載の赤外線測定器の防水装置。
【請求項７】
前記内部ベースにおける収容部の上側に、着脱可能に蓋部材が設置され、該蓋部材の両側にそれぞれ、下方に向かって挿設プレートが延設され、該収容部における両側内壁面にそれぞれ、該蓋部材の挿設プレートと対応する固定部が設けられ、該蓋部材の上面に開口が形成され、
また、前記保護カバーと保護蓋とはそれぞれ独立した部材であり、該保護蓋は、保護カバーの上部に組み合わされ、
前記底板に、前記保護カバーの内側に位置するように、少なくとも１つの配線孔が形成されることを特徴とする請求項２に記載の赤外線測定器の防水装置。
【請求項８】
前記保護蓋の上部に前後方向に沿って凹溝が形成され、後側に該凹溝の後端と対応する貫通孔が形成されると共に、前記外部ベース背面板の上部に、貫通孔と対応する固定孔が形成され、
該保護蓋を外部ベースに固設するために、ボルトが凹溝から貫通孔を通って固定孔に固定されることを特徴とする請求項２乃至７の何れか１項に記載の赤外線測定器の防水装置。
【請求項９】
前記保護蓋はさらに、その外周に下方に向かって前記保護カバー上部前側及び左右両側をカバーするための凸縁が延設されることを特徴とする請求項２乃至７の何れか１項に記載の赤外線測定器の防水装置。
【請求項１０】
前記保護蓋はさらに、その外周に下方に向かって前記保護カバー上部前側及び左右両側をカバーするための凸縁が延設されることを特徴とする請求項８に記載の赤外線測定器の防水装置。
【考案の詳細な説明】
【技術分野】
【０００１】
本考案は、特に赤外線器測定器における内部部材及び制御回路の水濡れによる故障を防止するための防水装置に関するものである。
【背景技術】
【０００２】
既存の赤外線測定器は、屋外に設置する時、内部の部品及び制御回路の水濡れによる故障を防止するために、外部に、部品及び制御回路をカバーする組立式のケースが装着され、この構造によれば、ケースを介して屋外の壁などに設置でき、雨などの水濡れによる故障も防止できる。
【０００３】
前記既存の赤外線測定器の組立式のケースは主に、背面板及び内部に空洞が形成されるケーシングを有し、その内、該背面板は縦方向に設置され、また、該ケーシングは、後側に開口が形成され、螺合手段或いは係合手段によって、該背面板の前面に取り付けられ、また、その背面板とケーシングとの間に、上部から下部まで係合隙間が形成されることから、屋外に設置する時に、雨がその係合隙間を介してケーシングの内部に浸入して、赤外線測定器における内部部材及び制御回路を濡らし故障させてしまう虞があった。
【考案の概要】
【考案が解決しようとする課題】
【０００４】
上述したように、既存の赤外線測定器の組立式のケースは、背面板とケーシングとの間に、上部から下部まで係合隙間が形成されることから、屋外に設置する時に、雨がその係合隙間を介してケーシングの内部に浸入し、赤外線測定器における内部部材及び制御回路を濡らし故障させてしまう虞があったので、更なる改良が待たれていた。
【課題を解決するための手段】
【０００５】
本考案に係る赤外線測定器の防水装置は、外部ベースと、前記外部ベースに設置され、配置空間及び収容空間が形成される内部ベースと、前記内部ベースの外周をカバーするものであり、下部に保護カバーが設けられると共に、該保護カバーの上部に保護蓋が設けられ、該保護カバーの底部が前記外部ベースに当接することにより固定される防水カバーとを有するものである。
【０００６】
前記外部ベースは、背面板と、該背面板の底部から前方に向かって延設される底板と、を備え、
前記内部ベースは、配置部と、該配置部の後側に上方に向かって延設される延出部と、該延出部の上部に、前方に向かって延設される収容部と、該延出部の前方における、収容部と配置部との間に形成される配置空間とを備え、その内、収容部は、内部に収容空間が形成されると共に、前面に機能表示調整プレートが設けられ、
更に、前記内部ベースは、配置部を介して前記外部ベースの底板上に固設され、
前記防水カバーの保護蓋は、ボルトによって前記外部ベースの背面板に固設されることが好ましく、
また、前記内部ベースにおける収容部の上側に、着脱可能に蓋部材が設置されてもよい。
【０００７】
前記蓋部材の両側にそれぞれ、下方に向かって挿設プレートが延設されると共に、前記収容部の両側内壁面にそれぞれ、該蓋部材の挿設プレートと対応する固定部が設けられ、更に、該蓋部材の上面に開口が形成されてもよい。
【０００８】
前記保護カバーと保護蓋とはそれぞれ独立した部材であり、該保護蓋は、保護カバーの上部に組み合わされても構わない。
【０００９】
前記底板に、前記保護カバーの内側に位置するように、少なくとも１つの配線孔が形成されることが好ましい。
【００１０】
前記内部ベースにおける収容部の上側に、着脱可能に蓋部材が設置され、該蓋部材の両側にそれぞれ、下方に向かって挿設プレートが延設され、該収容部における両側内壁面にそれぞれ、該蓋部材の挿設プレートと対応する固定部が設けられ、該蓋部材の上面に開口が形成され、
また、前記保護カバーと保護蓋とはそれぞれ独立した部材であり、該保護蓋は、保護カバーの上部に組み合わされ、
前記底板に、前記保護カバーの内側に位置するように、少なくとも１つの配線孔が形成されることが好ましい。
【００１１】
前記保護蓋の上部に前後方向に沿って凹溝が形成され、後側に該凹溝の後端と対応する貫通孔が形成されると共に、前記外部ベース背面板の上部に、貫通孔と対応する固定孔が形成され、
該保護蓋を外部ベースに固設するために、ボルトが凹溝から貫通孔を通って固定孔に固定されることが好ましい。
【００１２】
前記保護蓋はさらに、その外周に下方に向かって前記保護カバー上部前側及び左右両側をカバーするための凸縁が延設されてもよい。
【考案の効果】
【００１３】
本考案に係る赤外線測定器の防水装置は上記の如く、屋外に設置した赤外線測定器が雨や雪などに曝された時、雨は防水カバーに沿って外部ベースの外周面に流れ落ちることから、防水カバーと内部ベースとの隙間から内部に入ることは不可能であるので、赤外線測定部材及び制御回路ボードの水濡れによる故障を防止することができ、また、赤外線測定器をメンテナンスする時は、単に防水カバーの保護蓋及び保護カバーを取り外せれば、赤外線測定部材及び制御回路ボードをメンテナンスすることができることから、取り外しや組み立て、修理が極めて簡単であるので、優れた利便性を有する。
【図面の簡単な説明】
【００１４】
【図１】本考案に係る赤外線測定器の防水装置の斜視図である。
【図２】本考案に係る赤外線測定器における防水装置と赤外線測定部材と水平調整台の分解斜視図である。
【図３】本考案に係る赤外線測定器の防水装置における他の実施例の分解斜視図である。
【図４】図３における赤外線測定器における防水装置と赤外線測定部材と水平調整台の分解斜視図である。
【図５】図３における赤外線測定器の防水装置において、赤外線測定部材及び水平調整台を内部ベース及び外部ベースに設置した状態を示す部分分解斜視図である。
【図６】図５における保護カバー及び保護蓋を設置した状態を示す透視斜視図である。
【図７】図６における側面断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図４に示すように、本考案に係る赤外線測定器の防水装置は、外部ベース１０と、内部ベース２０と、防水カバーＡとを有し、その内、外部ベース１０は、縦方向に設置される背面板１１と、該背面板１１の底部に前方に向かって延設される底板１２と、該背面板１１の上部に形成される固定孔１３及び貫通孔１４と、該底板１２の中央部に形成される位置決め孔１５と、該底板１２に形成される少なくとも１つの配線孔１６とを備える。尚、前記背面板１１の下部にさらに、貫通孔１４が形成されても構わない。
【００１７】
前記内部ベース２０は、前記外部ベース１０における背面板１１の前側に位置するように、前記底板１２上に設置され、配置部２１と、該配置部２１の後側に上方に向かって延設される延出部２２と、該延出部２２の上部に、前方に向かって延設される収容部２３と、該延出部２２の前方における、収容部２３と配置部２１との間に形成される配置空間２４とを備え、その内、収容部２３は、内部に収容空間２３１が形成されると共に、前面に機能表示調整プレート２３２が設けられる。尚、本実施例においては、配置部２１の中央部に、前記底板１２の位置決め孔１５と対応する組立孔２５が形成され、前記収容部２３の内周面の両側にそれぞれ、L字形の固定部２３３が設けられることが好ましい。
【００１８】
図１及び図２に示すように、前記内部ベース２０における収容部２３の上側に脱着可能に蓋部材２６が取り付けられが、この時、該蓋部材２６は、ボルトによって収容部２３に取り付けられてもよく、或いは、該蓋部材２６における両側にそれぞれ下方に向かって挿設プレート２６１が延設され、該挿設プレート２６１が前記収容部２３の固定部２３３に嵌設されることにより固定してもよい。尚、その蓋部材２６は、上面に長方形の露出孔２６２が形成されることが好ましい。
【００１９】
前記防水カバーＡは、保護カバー３０及び該保護カバー３０の上部に設置される保護蓋４０を有するが、図１及び図２に示すように、該保護カバー３０及び保護蓋４０は一体に形成されてもよく、図３及び図４に示すように、該保護カバー３０と保護蓋４０とをそれぞれ別個に製造し、その後、超音波溶着或いは接着手段によって一体に組み合わせてもよく、または、該保護カバー３０と保護蓋４０とを別個に製造し、その後、係合手段や掛合手段などの方法により、保護蓋４０を保護カバー３０の上部に組み合わせてもよい。尚、本実施例における防水カバーＡは、保護カバー３０及び保護蓋４０を一体に形成し、若しくは、保護カバー３０と保護蓋４０とを別個に製造し、その後、超音波溶着或いは接着手段によって、一体に結合させることが好ましい。
【００２０】
前記防水カバーＡを設置する時は、保護カバー３０を内部ベース２０の外周をカバーするように取り付け、底板１２の配線孔１６が保護カバー３０の内側に位置するように、保護カバー３０の底部を外部ベース１０の底板１２に接触させて設置し、続いて保護蓋４０をボルトなどを介して外部ベース１０の背面板１１に固定する。また、本実施例においては、前記保護蓋４０の上部に前後方向に沿って凹溝４２が形成されると共に、後側における、該凹溝４２の後端と対応する位置に、前記外部ベース１０の背面板１１の固定孔１３と対応する貫通孔４３が形成される。この構成によれば、前記保護蓋４０を外部ベース１０に設置する時、ボルトが凹溝４２から貫通孔４３を通過して背面板１１の固定孔１３に固定されることから、該保護蓋４０をしっかりと外部ベース１０に設置することができ、且つ前記保護カバー３０を保護蓋４０と外部ベース１０の底部１２との間に位置させることもできる。なお、その保護蓋４０は更に、外周から下方に向かって、前記保護カバー３０の上部の前側及び左右両側をカバーするための凸縁４４が延設されることが好ましい。
【００２１】
図２、図４、図５、図７に示すように、本考案に係る赤外線測定器の防水装置は、先ず、内部ベース２０を外部ベース１０の底板１２上に設置し、上部が内部ベース２０の収容部２３に位置するように、水平調整台６０を内部ベース２０の配置空間２４に設置し、その後、ボルト８０を水平調整台６０の底部、内部ベース２０の設置部２１、外部ベース１０の底板１２を介して外部ベース１０の底面からナットで固定し、続いて、赤外線測定部材５０を回転可能に水平調整台６０内に枢設し、調整ボタンが収容部２３の機能表示調整プレート２３２と対応するように、制御回路ボード７０を内部ベース２０の収容部２３内に設置し、赤外線測定部材５０の配線を収容部２３を介して制御回路ボード７０へ接続し、該制御回路ボード７０の配線を内部ベース２０の延出部２２に沿って外部ベース１０の底板１２の配線孔１６から延出させ、外部の電力部材などと接続し、更に、蓋部材２６を収容部２３の上側に取り付けて制御回路ボード７０をカバーし、また、蓋部材２６の開口２６２が制御回路ボード７０の配線位置と対応することから、開口２６２を介して制御回路ボード７０の配線手間が簡単に行われる。
【００２２】
図１及び図２においては、一体に形成された防水カバーＡが、赤外線測定部材５０及び制御回路ボード７０をカバーするように、内部ベース２０の外周に設置され、ボルト８１によって防水カバーＡの保護蓋４０を外部ベース１０に固定し、赤外線測定器及び防水装置が装着される。
【００２３】
また、図６及び図７に示すように、赤外線測定器の防水装置を使用する時は、先ず赤外線測定部材５０を水平調整台６０に組み合わせ、その後、赤外線測定部材５０及び水平調整台６０を内部ベース２０の配置空間２４に配置し、制御回路ボード７０を内部ベース２０の収容部２３に設置し、防水カバーＡの保護カバー３０を外部ベース１０に取り付け、保護カバー３０の上部の保護蓋４０を凸縁４４上に設置することから、赤外線測定器を室外に設置する時、雨や雪が降ったとしても防水カバーＡに沿って外部ベース１０の外周面に流れ落ち、防水カバーＡと内部ベース２０との隙間を介して内部に入ることはないので、優れた防水性を有すると共に、水濡れによる故障も防止できる。
【００２４】
図３乃至図５に示すように、赤外線測定器をメンテナンスする時は、単にボルト８１を外して防水カバーＡの保護蓋４０及び保護カバー３０を取り外せれば、赤外線測定部材５０及び制御回路ボード７０を修理することができるので、利便性にも優れている。
【産業上の利用可能性】
【００２５】
本考案は上記説明によれば、屋外に設置した赤外線測定器が雨や雪などに曝された時、雨は防水カバーに沿って外部ベースの外周面に流れ落ちることから、防水カバーと内部ベースとの隙間から内部に入ることは不可能であるので、赤外線測定部材及び制御回路ボードの水濡れによる故障を防止することができ、また、赤外線測定器を修理する時は、単に防水カバーの保護蓋及び保護カバーを取り外せれば、赤外線測定部材及び制御回路ボードをメンテナンスすることができることから、取り外しや組み立て、メンテナンスが極めて簡単であるので、優れた利便性を有する。
【符号の説明】
【００２６】
１０               外部ベース
１１               背面板
１２               底板
１３               固定孔
１４               貫通孔
１５               位置決め孔
１６               配線孔
２０               内部ベース
２１               配置部
２２               延出部
２３               収容部
２３１           収容空間
２３２           機能表示調整プレート
２３３           固定部
２４              配置空間
２５              組立孔
２６              蓋部材
２６１           挿設プレート
２６２           開口
Ａ                防水カバー
３０              保護カバー
４０              保護蓋
４２              凹溝
４３              貫通孔
４４              凸縁
５０              赤外線測定部材
６０              水平調整台
７０              制御回路ボード
８０、８１        ボルト
【図１】
0003175409.tif 000003
【図２】
0003175409.tif 000004
【図３】
0003175409.tif 000005
【図４】
0003175409.tif 000006
【図５】
0003175409.tif 000007
【図６】
0003175409.tif 000008
【図７】
0003175409.tif 000009